(57)【特許請求の範囲】
【請求項１】
下端から地中に差し込まれる軸状の脚部、および前記脚部の上端に着脱自在に嵌合されてゴルフボールが載置される球受け部を含み、
前記球受け部は、
生分解性プラスチック又は分解性を上げたプラスチックで形成され、
前記脚部の上端を挿入して連結するための筒状の連結部を有し、
前記連結部の内壁は、前記脚部を連結部に確実に留め付けるための突出部が形成され、前記連結部の開口部から内部へ進入するに従い、前記突出部の内壁から突出する高さが徐々に高くなるよう形成され、
ゴルフボールを受ける面と前記連結部内とを前記球受け部の厚み方向に連通させ、脚部の抜き差しを容易にできるようにするための貫通孔が形成され、
前記球受け部の皿面に、打球時に孔から空気が抜けるようにするための貫通孔が、複数個形成され、および／または、前記球受け部の底部に前記球受け部の皿面と中心を同じくする平面円形の凹部が形成され、
前記脚部は、
染料により染色された木製で、衝撃を吸収するために、細長い軸状に形成され、その下端が、略円錐形状に形成されている、
ゴルフ用テイ。
【請求項２】
前記脚部は、長手方向に間隔をあけて切欠部が円周方向に形成されている、請求項１に記載のゴルフ用テイ。
【請求項３】
前記脚部は、水性染料で形成された、請求項１または請求項２に記載のゴルフ用テイ。
【請求項４】
生分解性プラスチックで形成されたゴルフ用テイであって、下端から地中に差し込まれる脚部、前記脚部の上端に連設され、打球時の衝撃を減少させるための衝撃吸収部、および前記衝撃吸収部の上端に連設され、ゴルフボールが載置される球受け部を含み、生分解性を上げるための凹部または生分解性を上げるための指掛部が少なくとも前記脚部に形成され、
前記脚部の上端から前記衝撃吸収部に跨がって使用者が指を引っかけるための指掛部が形成され、
前記指掛部は、前記脚部の長手方向に延びる直線上に前記凹部または前記貫通孔と並ぶよう形成される、ゴルフ用テイ。
【請求項５】
前記凹部は、前記脚部を、その長手方向の下端から上端にわたって連続的に横断面略Ｖ字形状に切り込んで形成された、請求項４に記載のゴルフ用テイ。
【請求項６】
前記凹部は、前記脚部の中心軸を間において対向する両側面に形成された、請求項４または請求項５に記載のゴルフ用テイ。
【請求項７】
前記凹部内に貫通孔が形成された、請求項４ないし請求項６のいずれかに記載のゴルフ用テイ。
【請求項８】
前記衝撃吸収部は、薄肉偏平形状に形成され、その厚み方向に湾曲可能に形成された、請求項４ないし請求項７のいずれかに記載のゴルフ用テイ。
【請求項９】
前記衝撃吸収部には、打球時の衝撃をさらに吸収しやすくするとともに生分解性を上げるための凹部および／または貫通孔が形成された、請求項８に記載のゴルフ用テイ。
【請求項１０】
前記衝撃吸収部の幅方向の両側に少なくとも一対のリブが形成された、請求項８または請求項９に記載のゴルフ用テイ。
【請求項１１】
前記一対のリブは、前記衝撃吸収部の長手方向に延びる線状に形成された、請求項１０に記載のゴルフ用テイ。
【請求項１２】
前記貫通孔は前記脚部の長手方向に間隔を隔てて複数形成される、請求項４，請求項５または請求項９のいずれかに記載のゴルフ用テイ。
【請求項１３】
前記球受け部は薄肉状に形成され、その中心から放射状に湾曲面に沿って複数のリブが配設された、請求項１ないし請求項１２のいずれかに記載のゴルフ用テイ。
【発明の詳細な説明】
【０００１】
【発明の属する技術分野】
本発明はゴルフ用テイに関する。
【０００２】
【従来の技術】
従来のゴルフ用テイにはプラスチックで形成されたものがある。プラスチック製のゴルフ用テイは、射出成型などにより大量生産が可能である。
【０００３】
【発明が解決しようとする課題】
しかしながら、従来のプラスチック製ゴルフ用テイは、自然に分解されにくいものであった。そのため、ゴルファーが使用済みのゴルフ用テイを回収しないで放置した場合、ゴルフ場の自然環境に好ましくない影響を与えた。また、従来のプラスチック製ゴルフ用テイでは、飛距離がそれほど上がらなかった。
【０００４】
それゆえに、本発明の主たる目的は、自然に優しく、かつ飛距離を上げることができる、ゴルフ用テイを提供することである。
【０００５】
【課題を解決するための手段】
本発明にかかるゴルフ用テイは、生分解性プラスチックで形成されたゴルフ用テイであって、下端から地中に差し込まれる脚部と、脚部の上端に連設され、打球時の衝撃を減少させるための衝撃吸収部と、衝撃吸収部の上端に連設され、ゴルフボールが載置される球受け部とを含み、生分解性を上げるための凹部が少なくとも脚部に形成される、ゴルフ用テイである。
本発明にかかるゴルフ用テイは、生分解性プラスチックで形成されており、しかも凹部が形成されることにより表面積が増大しかつ体積が減少するので、従来のものに比べて生分解性が向上し、微生物等の働きにより分解されやすい。したがって、このゴルフ用テイは、自然に優しく、また、ゴルフ場のメンテナンス時に芝刈機の刃を傷めない。また、凹部を形成することにより使用樹脂量を節約することができる。さらに、衝撃吸収部を設けることにより、打球の飛距離を上がることができる。
【０００６】
また、本発明にかかるゴルフ用テイにおいて、凹部は、脚部をその長手方向の下端から上端にわたって連続的に横断面略Ｖ字形状に切り込んで形成されることが好ましい。
この場合には、凹部が形成されることによりゴルフ用テイの表面積が増大しかつ体積が減少するので、従来のものに比べて生分解性が向上し、微生物等の働きにより分解されやすくなる。また、凹部が脚部の長手方向の下端から上端にわたって連続的に形成されているので、ゴルフ用テイを地中へ差し込む際に凹部が妨げとならず、スムーズに差し込むことができる。さらに、ゴルフ用テイを地中に差し込んだ後は、横断面略Ｖ字形状に切り込まれた部分に土砂が嵌まり込むので、ゴルフ用テイが長軸回りに回転しにくくなり、飛球の方向安定性に資することになる。また、横断面略Ｖ字形状に切り込んで凹部を形成することにより、脚部の強度が弱くなりすぎることを防止できる。また、ゴルフ用テイを地中に差し込む向きの目印に凹部をすることができる。
【０００７】
さらに、本発明にかかるゴルフ用テイにおいて、凹部は、脚部の中心軸を間において対向する両側面に形成されることが好ましい。
この場合には、凹部が形成されることによりゴルフ用テイの表面積が増大しかつ体積がさらに減少するので、従来のものに比べて生分解性が向上し、微生物等の働きにより分解されやすくなる。また、凹部が脚部の中心軸を間において対向する両側面に形成されているので、それらの凹部をゴルフ用テイを地中に差し込む向きの目印にすることができる。また、使用樹脂量をさらに節約することができる。
【０００８】
また、本発明にかかるゴルフ用テイにおいて、凹部内に貫通孔が形成されてもよい。この場合には、凹部が形成されることによりゴルフ用テイの表面積が増大し、かつ貫通孔が形成されることにより体積がさらに減少するので、従来のものに比べて生分解性が向上し、微生物等の働きにより分解されやすくなる。また、使用樹脂量をさらに節約することができる。
【０００９】
さらに、本発明にかかるゴルフ用テイは、生分解性プラスチックで形成されたゴルフ用テイであって、下端から地中に差し込まれる脚部と、脚部の上端に連設され、打球時の衝撃を減少させるための衝撃吸収部と、衝撃吸収部の上端に連設され、ゴルフボールが載置される球受け部とを含み、生分解性を上げるための貫通孔が少なくとも脚部に形成される、ゴルフ用テイである。
本発明にかかるゴルフ用テイは、生分解性プラスチックで形成されており、しかも貫通孔が形成されることによりゴルフ用テイの体積が減少するので、従来のものに比べて生分解性が向上し、微生物等の働きにより分解されやすい。また、貫通孔を形成することにより使用樹脂量を節約することができる。さらに、衝撃吸収部を設けることにより、打球の飛距離を上げることができる。
【００１０】
また、本発明にかかるゴルフ用テイにおいて、脚部の上端から衝撃吸収部に跨がって使用者が指を引っかけるための指掛部が形成されてもよい。
この場合には、ゴルファ−は指掛部に指をひっかけてゴルフ用テイを地中に差し込んだり引き抜いたりできるので操作性がよい。また、指掛部に指を引っかけてゴルフ用テイを扱うことにより、ゴルフ用テイの向きを定めることができ、常時同じ向きで地中に差し込むことができる。
【００１１】
さらに、指掛部は、脚部の長手方向に延びる直線上に凹部または貫通孔と並ぶよう形成されてもよい。
この場合には、指掛部と貫通孔とが脚部の同じ側における目印となるので、差込方向を間違うことがなく、所望の向きに確実に差し込むことができ、使い勝手がよい。
【００１２】
また、衝撃吸収部は、薄肉偏平形状に形成され、その厚み方向に湾曲可能に形成されることが好ましい。
薄肉偏平形状の衝撃吸収部が厚み方向に湾曲することにより、打球時の衝撃が吸収される。そのため、ゴルファーは違和感を感じることがなく球を打つことができ、ゴルフヘッドの振り抜きが良くなり、飛距離が延びる。
【００１３】
さらに、衝撃吸収部には、打球時の衝撃をさらに吸収しやすくするとともに生分解性を上げるための凹部および／または貫通孔が形成されてもよい。
薄肉偏平形状の衝撃吸収部にさらに凹部および／または貫通孔を形成することにより、打球時の衝撃がさらに吸収されやすくなる。そのため、ゴルファーは違和感を感じることがなく球を打つことができ、ゴルフヘッドの振り抜きが良くなり、飛距離が延びる。しかも、凹部および／または貫通孔を形成することにより、表面積が増大し、体積が減少するため、微生物等と接触する面が増大し、より速く生分解させることができる。
【００１４】
また、衝撃吸収部の幅方向の両側に少なくとも一対のリブが形成されることが好ましい。この場合には、一対のリブを形成することにより、衝撃吸収部が弱くなりすぎて球受け部にゴルフボールを載せにくくなったりする不都合が防止される。また、衝撃吸収部の幅方向の両側に一対のリブを形成することにより、衝撃吸収部の湾曲方向が一方向に規制されるので、飛球の方向性を良くすることができる。
【００１５】
さらに、一対のリブは、衝撃吸収部の長手方向に延びる線状に形成されてもよい。一対のリブを衝撃吸収部の長手方向に延びる線状に形成することにより、衝撃吸収部が弱くなりすぎて球受け部にゴルフボールを載せにくくなったりする不都合が防止される。また、衝撃吸収部の湾曲方向が一方向に規制されるので、飛球の方向性を良くすることができる。
【００１６】
また、貫通孔は脚部の長手方向に間隔を隔てて複数形成されてもよい。長手方向に間隔を隔てて複数貫通孔を形成することにより、強度を保持したまま、材料を節約することができ、体積を減少させることができ、生分解性を向上させることができる。また、使用樹脂量を節約することができる。
【００１７】
また、本発明にかかるゴルフ用テイは、下端から地中に差し込まれる軸状の脚部と、脚部の上端に着脱自在に設けられてゴルフボールが載置される球受け部とを含む、ゴルフ用テイである。このゴルフ用テイは、脚部が軸状であるので、衝撃を吸収しやすく、ゴルフヘッドの振り抜きが良くなり、飛距離が向上する。また、球受け部と脚部とが着脱自在なので、保管時や輸送時には別々にしておくことができ、使用時に組み立てて使用することができる。また、このゴルフ用テイはゴルフ場のメンテナンス時に芝刈機の刃を傷めず自然にやさしい。
また、球受け部には複数の凹部または貫通孔を形成することが好ましい。この場合には、使用樹脂量を節約することができ、また樹脂として生分解性のものを用いた際に生分解性が向上する。さらに、球受け部に貫通孔を形成した場合には、打球に伴う飛翔時に空気抵抗が増すため、遠方に飛び散ることが防止される。
さらに、脚部には、使用時に適宜の長さで脚を切断するための切欠部が形成されてもよい。この場合には、使用時に脚の長さを適宜に調整することができ、所望の高さでゴルフボールをティーアップすることができる。
また、脚部は、染料により染色された木製であることが好ましい。木製であれば自然分解しやすいからである。また、染色による着色であれば、脚部表面に塗料による場合のような被膜が形成されないので、水分の吸収が妨げられにくく、自然分解を妨げないからである。
さらに、球受け部は脚部を抜き差し可能に挿入して連結するための筒状の連結部を有し、連結部の内壁には、脚部を連結部に確実に留め付けるための突出部が形成されることが好ましい。この場合には、脚部を連結部に挿入することにより、脚部と球受け部とが連結される。連結部の内壁に形成された突出部は、脚部を周囲から締めつけるように作用するので、脚部が確実に留め付けられる。
さらに、連結部の開口部から内部へ進入するに従い、突出部の内壁から突出する高さが徐々に高くなるよう形成された場合には、脚部の太さにバラツキがある場合であっても、脚部を確実に留め付けることができる。すなわち、突出部の突出高さが低い場合には、連結部の内径が大きくなり、突出高さが高い場合には連結部の内径が小さくなる。そのため、脚部を連結部内に挿入すれば、その太さに対応する高さの突出部に引っ掛かるので、太さにバラツキがある場合であっても確実に脚部が連結部に留め付けられる。これにより、脚部の太さには厳密な精度は要求されないので、脚部の製造が容易になる。
また、球受け部のゴルフボールを受ける面と連結部内とを球受け部の厚み方向に連通させる貫通孔が形成されることが好ましい。連結部内の空気が当該貫通孔を通じて流通するので、連結部に脚部を抜き差しが容易に行えるようになるからである。また、この貫通孔を形成した場合には、当該貫通孔を通じて細い針状部材をつっこむことにより、脚部を連結部から押し出すこともできる。
【００１８】
また、球受け部の底部に球受け部の皿面と中心を同じくする平面円形の凹部が形成されてもよい。
また、球受け部は薄肉状に形成され、その中心から放射状に湾曲面に沿って複数のリブが配設されてもよい。
これらの場合には、球受け部の強度を保持したまま全体として使用樹脂量を減らすことができるので、体積を減少させて生分解性を向上させることができる。また、使用樹脂量を節約することができる。
【００１９】
本発明の上述の目的，その他の目的，特徴および利点は、図面を参照して行う以下の発明の実施の形態の詳細な説明から一層明らかとなろう。
【００２０】
【発明の実施の形態】
図１は本発明にかかるゴルフ用テイの一実施例を示す斜視図であり、図２はその線ＩＩ−ＩＩにおける断面図であり、図３はその線ＩＩＩ−ＩＩＩにおける断面図である。
図１に示すゴルフ用テイ１０は、全体が生分解性プラスチックで一体成型により形成されている。ゴルフ用テイ１０は、下端から地中に差し込まれる略円柱軸状の脚部１２を含む。脚部１２の下端は、地中に差し込み易くするための先細状の先端部１２ａが形成されている。脚部１２の中心軸を間において対向する両側面には、それぞれ凹部１４が長手方向の一端から他端にわたって連続的に形成される。凹部１４は、図３に示すように横断面略Ｖ字形状に形成される。
【００２１】
脚部１２の上端には、打球時の衝撃を減少させるための衝撃吸収部１６が連設される。この衝撃吸収部１６は、正面から見て略矩形の薄肉偏平形状に形成され、その厚み方向に湾曲可能に形成される。衝撃吸収部１６が厚み方向に可逆的に湾曲することにより、打球時の衝撃が吸収される。そたのめ、ゴルファーは違和感を感じることがなく球を打つことができ、ゴルフヘッドの振り抜きが良くなり、飛距離が延びる。
【００２２】
また、衝撃吸収部１６の一方面の幅方向の両側に一対のリブ１８，１８が形成され、他方面の幅方向の両側にも一対のリブ１８，１８が形成される。一方面のリブ１８，１８と他方面のリブ１８，１８とは、衝撃吸収部１６の厚み方向に対向して同じ位置に形成されており、衝撃吸収部１６の中心から見て左右対称に形成される。しかも、これらのリブ１８は、衝撃吸収部１６の長手方向に延びる線状に形成される。
【００２３】
また、ヒレ状の指掛部２０が、脚部１２の上端から衝撃吸収部１６に跨がって、脚部１２の長手方向に沿って延び、衝撃吸収部１６の厚み方向に張り出して形成される。指掛部２０は、衝撃吸収部１６の厚み方向の両側にそれぞれ形成される。
【００２４】
さらに、衝撃吸収部１６の上端には、ゴルフボールを載置するための球受け部２２が形成される。
【００２５】
この実施例のゴルフ用テイ１０は、生分解性プラスチックで形成されており、しかも凹部１４が形成されているので表面積が増大しかつ体積が減少するので、従来のものに比べて生分解性が向上し、微生物等の働きにより分解されやすい。また、凹部１４を形成することにより使用樹脂量が節約される。また、ゴルフ場のメンテナンス時に芝刈機の刃を傷めない。
また、リブ１８が衝撃吸収部１６の長手方向に延びる線状に形成されるので、衝撃吸収部１６が弱くなりすぎて球受け部２２にゴルフボールを載せにくくなったりする不都合が防止される。また、衝撃吸収部１６の湾曲方向が一方向に規制されるので、飛球の方向性を良くすることができる。
さらに、凹部１４が脚部１２の長手方向の下端から上端にわたって連続的に形成されているので、ゴルフ用テイ１０を地中へ差し込む際に凹部１４が妨げとならず、スムーズに差し込むことができる。さらに、ゴルフ用テイ１０を地中に差し込んだ後は、横断面略Ｖ字形状に切り込まれた凹部１４に土砂が嵌まり込むので、ゴルフ用テイ１０が長軸回りに回転しにくくなり、その結果、飛球の方向安定性が増す。また、横断面略Ｖ字形状に切り込んで凹部１４を形成することにより、脚部１２の強度が弱くなりすぎることを防止できる。また、ゴルフ用テイ１０を地中に差し込む向きの目印に凹部１４をすることができる。すなわち、この実施例のゴルフ用テイ１０では、凹部１４を球を飛ばそうとする方向へ向けて地中に差し込むことが好ましい。
【００２６】
図４は、本発明にかかるゴルフ用テイの他の実施例を示す斜視図であり、図５は、その線Ｖ−Ｖにおける断面図であり、図６は線ＶＩ−ＶＩにおける断面図である。
図４に示すゴルフ用テイ３０は、凹部１４が脚部１２の下端から衝撃吸収部１６まで連続的に形成される点と貫通孔２４および２６の有無の点とが図１に示したゴルフ用テイ１０と異なる。このゴルフ用テイ３０では、凹部１４の底を厚み方向に貫通するたとえば円形の貫通孔２４が形成される。この貫通孔２４は、脚部１２の長手方向に所定の間隔をおいてたとえば４つ同じ直線上に並ぶようにして形成される。このような凹部１４が形成されることによりゴルフ用テイ３０の表面積が増大し、かつ貫通孔２４が形成されることにより体積がさらに減少するので、従来のものに比べて生分解性が向上し、微生物等の働きにより分解されやすくなる。また、脚部１２の強度を保持したまま、使用樹脂量をさらに節約することができる。なお、貫通孔２４の形状や数は、この実施例のものに限定されるものではない。また、凹部１４を形成せずに脚部１２に直接貫通孔２４を形成するようにしてもよい。
【００２７】
また、図４に示すゴルフ用テイ３０の衝撃吸収部１６には、長孔状の貫通孔２６が形成される。衝撃吸収部１６に貫通孔２６を形成することにより、打球時の衝撃が吸収されやすくなる。そのため、ゴルファーは違和感を感じることがなく球を打つことができ、ゴルフヘッドの振り抜きが良くなり、飛距離が延びる。しかも、貫通孔２６を形成することにより、体積が減少するので、より速く生分解させることができる。
なお、貫通孔２６の代わりに凹部を形成してもよく、また凹部と貫通孔とを同時に形成してもよい。また、貫通孔２６の両側に図１の実施例で示したようなリブ１８を設けてもよい。
また、図１に示した実施例と同様に指掛部２０を形成してもよい。その場合には、指掛部２０と貫通孔２４，２６とが脚部１２の同じ側における目印となるので、差込方向を間違うことがなく、ゴルフ用テイ３０を地中に所望の向きで確実に差し込むことができ、使い勝手がよい。
【００２８】
図７は、図４に示すゴルフ用テイの変形例を示す斜視図である。
図７に示すゴルフ用テイ４０は、図４に示したゴルフ用テイ３０と貫通孔２６の形状のみが相違するものである。このゴルフ用テイ４０では、衝撃吸収部１６に略円形の貫通孔２６′が衝撃吸収部１６の長手方向に所定の間隔をおいてたとえば３つ形成される。この場合にも、図４に示したゴルフ用テイ４０と同様の作用効果を得ることができる。
【００２９】
図８は、図１に示すゴルフ用テイの変形例を示す斜視図であり、図９は、その線ＩＸ−ＩＸにおける断面図である。
図８に示すゴルフ用テイ５０は、図１に示すゴルフ用テイ１０と比べて球受け部２２の構造のみが異なるものである。
図８に示すゴルフ用テイ５０の球受け部２２は薄肉状に形成され、その中心から放射状に湾曲面に沿って複数のリブ２２ａが配設されている。この場合には、球受け部２２の強度を保持したまま、全体として使用樹脂量を減らすことができるので、体積を減少させることができ生分解性を向上させることができる。また、使用樹脂量を節約することができる。なお、この変形例では、複数のリブ２２ａを球受け部２２の湾曲した皿面に形成したが、これに限らず、球受け部２２の湾曲した外壁面に形成してもよい。
【００３０】
図１０は、本発明にかかるゴルフ用テイのさらに他の実施例を示す斜視図であり、図１１はその要部断面図である。
このゴルフ用テイ７０は、たとえば木製の軸状の脚部７２を含む。脚部７２は、その下端から地中に差し込まれるものであり、下端は略円錐形状に形成されている。また、脚部７２の上端には、プラスチックで形成された球受け部７４が着脱自在に嵌合される。球受け部７４は、ゴルフボールを載置するためのものである。球受け部７４の皿面にはたとえば円形の貫通孔７６が複数個形成される。球受け部７４に貫通孔７６を形成することにより体積を減少させることができ、使用樹脂量を節約することができる。さらに、打球時にゴルフ用テイ７０も飛んでいく場合があるが、貫通孔７６を形成することにより空気抵抗が増すため、遠方に飛び散ることが防止される。なお、球受け部７４は籠、ザルないし鉢状に形成されればよい。また、貫通孔７６の数、大きさ等は実用に耐え得る強度が得られる範囲で任意に選択すればよく、形状も円形に限ることなく、矩形状にしてもよい。
【００３１】
このゴルフ用テイ７０は、脚部７２が木製であり、球受け部７４がプラスチックで形成されているので、ゴルファーが使用後に回収せずに放置した場合にも自然環境を過剰に破壊することが防止され、自然に優しいゴルフ用テイである。とくに生分解性プラスチックを用いればより自然にやさしくなる。また、脚部７２が軸状であるので、衝撃を吸収しやすく、ゴルフヘッドの振り抜きが良くなり、飛距離が向上する。また、球受け部７４と脚部７２とが着脱自在なので、保管時や輸送時には別々にしておくことができ、使用時に組み立てて使用することができる。さらに、ゴルフ場のメンテナンス時に芝刈機の刃を傷めず自然にやさしい。なお、脚部７２は木製に限ることなく、生分解性プラスチックその他の材料を用いてもよい。
【００３２】
また、図１２は図１０および図１１に示したゴルフ用テイ７０の脚部７２の変形例を示す図解図である。この脚部７２の上端には、プラスチックその他の材料で形成された球受け部７４が図１１に示したものと同様に着脱自在に嵌合される。脚部７２の下端と上端との中間の軸部分には、図１２（Ａ）に示すように長手方向に所定の間隔をあけながら複数の切欠部７２ａが軸部を円周方向にくびれさせて形成される。複数の切欠部７２ａは、それぞれの部分で軸部を折りやすくするためのものである。使用者は、図１２（Ｂ）に示すように、所望の切欠部７２ａで軸部を折ってからその上端部に球受け部７４を取り付けることにより、所望の高さでティーアップできるようになり、飛距離を延ばすことができる。
【００３３】
さらに、図１３は、本発明にかかるゴルフ用テイのさらに別の実施例を示す斜視図である。
このゴルフ用テイ１００は、たとえば木製の軸状の脚部１０２を含む。脚部１０２の材料としては、たとえば白樺材などを用いることができる。脚部１０２は、その下端から地中に差し込まれるものであり、下端は使用者が怪我しないように安全性を考慮して略円錐台形状に形成されている。このゴルフ用テイ１００は脚部１０２が細長い軸状に形成されているので固い地面にも差し込みやすい。
また、脚部１０２を着色する場合には、たとえば水性染料で染色される。水性染料による染色であれば、脚部１０２の表面に塗料による塗装の場合のような被膜が生じず、吸水性を妨げることがないので、木製の脚部１０２を生分解させやすい。
【００３４】
また、脚部１０２の上端には、プラスチックで形成された球受け部１０４が着脱自在に嵌合される。球受け部１０４は、ゴルフボールを載置するためのものである。球受け部１０４の皿面にはたとえば円形の貫通孔１０６が複数個形成される。球受け部１０４に貫通孔１０６を形成することにより体積を減少させることができ、使用樹脂量を節約することができる。さらに、打球時にゴルフ用テイ１００も飛んでいく場合があるが、貫通孔１０６を形成することにより孔から空気が抜けるため、遠方に飛び散ることが防止される。なお、球受け部１０４は籠、ザルないし鉢状に形成されてもよい。また、貫通孔１０６の数、大きさ等は実用に耐え得る強度が得られる範囲で任意に選択すればよく、形状も円形に限ることなく、矩形状にしてもよい。
また、このゴルフ用テイ１００の球受け部１０４の球を受けるための皿面はマット仕上げされる。これは、成形加工時に金型面への食いつきを良くして、成形加工後のスプールやバリを落とす際に球受け部１０４を金型に張り付かせたまま仕上げ作業を行うことができるようにするためである。球受け部１０４の外面は鏡面仕上げされる。
【００３５】
球受け部１０４には、図１４ないし図１６に示すように、筒状の連結部１０８が一体に形成される。脚部１０２を筒状の連結部１０８に着脱可能に挿着することにより、脚部１０２と球受け部１０４とが連結される。連結部１０８の内壁には、脚部１０２の抜き差し方向に直線的に連続して条状に延びる断面三角形の突出部１１０が形成される。突出部１１０は、内壁の円周方向に等間隔を開けてたとえば３つ形成される。また、この突出部１１０は、たとえば、連結部１０８の開口部近傍においては、内径φ１が２．８ｍｍとなり、開口部から少し内部に進入した部分においては内径φ２が２．５ｍｍとなり、さらに一番奥においては内径φ３が２．３ｍｍとなるよう形成される。すなわち、突出部１１０は、連結部１０８の奥に進入するにつれて内壁からの突出高さが高くなるよう形成されるので、連結部１０８の奥に進入すればするほど内径が小さくなる。そして、脚部１０２の太さは、たとえばφ２．５ｍｍである。そのため、脚部１０２の上端を連結部１０８に挿入して奥へ向かって押し込むことにより、突出部１１０が脚部１０２に食い込むように作用して、脚部１０２を周囲から締めつけるような状態となる。したがって、脚部１０２の太さにバラツキがある場合であっても、脚部１０２を連結部１０８に対して確実に留め付けることができる。また、連結部１０８の開口部近傍において内径が一番大きくなるよう形成されているので、連結部１０８内に脚部１０２を導入しやすい。
【００３６】
また、このゴルフ用テイ１００では、球受け部１０４のゴルフボールを受ける面と連結部１０８内とを球受け部１０４の厚み方向に連通させる貫通孔１１４が形成される。この貫通孔１１４を形成することにより、連結部１０８内の空気が当該貫通孔１１４を通じて流通するので、連結部１０８に対する脚部１０２の抜き差しが容易に行えるようになる。また、この貫通孔１１４を形成した場合には、当該貫通孔１１４を通じて細い針状部材をつっこむことにより、脚部１０２を連結部１０８から押し出すこともできる。したがって、脚部１０２が使用中に折れてしまった場合にも連結部１０８から脚部１０２を取り外すことが容易にできる。
さらに、球受け部１０４の底部に球受け部の皿面と中心を同じくする平面円形の凹部１１２が形成される。凹部１１２が形成されることにより、プラスチックの内部応力等による球受け部１０４の成形後の形状の歪みやヒケが防止される。
【００３７】
図１３ないし図１７に示すゴルフ用テイ１００は、脚部１０２が木製であり、球受け部１０４がプラスチックで形成されているので、ゴルファーが使用後に回収せずに放置した場合にも自然環境を過剰に破壊することが防止され、自然に優しいゴルフ用テイである。とくに生分解性プラスチックを用いればより自然にやさしくなる。また、脚部１０２が軸状であり、また球受け部１０４と脚部１０２とが分離可能なので、打球時の衝撃を吸収しやすい。そのため、ゴルフヘッドの振り抜きが良くなり、飛距離が向上する。また、球受け部１０４と脚部１０２とが着脱自在なので、保管時や輸送時には図１７に示すように別々にしておくことができ、使用時に図１３に示すように組み立てて使用することができる。さらに、ゴルフ場のメンテナンス時に芝刈機の刃を傷めず自然にやさしい。なお、脚部１０２は木製に限ることなく、生分解性プラスチックその他の材料を用いてもよい。本願発明のゴルフ用テイに使用される生分解性プラスチックとしては、たとえばダイセル化学工業株式会社製のセルグリ−ン（登録商標）などを用いることができる。
【００３８】
【発明の効果】
本発明によれば、自然に優しく、かつ飛距離を上げることができるゴルフ用テイを提供することができる。
【図面の簡単な説明】
【図１】本発明にかかるゴルフ用テイの一例を示す斜視図である。
【図２】図１の線ＩＩ−ＩＩにおける断面図である。
【図３】図１の線ＩＩＩ−ＩＩＩにおける断面図である。
【図４】本発明にかかるゴルフ用テイの他の実施例を示す斜視図である。
【図５】図４の線Ｖ−Ｖにおける断面図である。
【図６】図４の線ＶＩ−ＶＩにおける断面図である。
【図７】図４に示すゴルフ用テイの変形例を示す斜視図である。
【図８】本発明にかかるゴルフ用テイのさらに他の実施例を示す斜視図である。
【図９】図８の線ＩＸ−ＩＸにおける断面図である。
【図１０】本発明にかかるゴルフ用テイの別の実施例を示す分解斜視図である。
【図１１】図１０に示すゴルフ用テイの要部断面図である。
【図１２】（Ａ）は  図１０に示すゴルフ用テイの脚部の変形例を示す図解図である。（Ｂ）はそれが折れた状態を示す図解図である。
【図１３】本発明にかかるゴルフ用テイのさらに別の実施例を示す斜視図である。
【図１４】図１３に示すゴルフ用テイの縦断面図である。
【図１５】図１３に示すゴルフ用テイの球受け部の拡大底面図である。
【図１６】図１５に示す線ＸＶＩ−ＸＶＩにおける断面図解図である。
【図１７】図１３に示すゴルフ用テイを分解した状態を示す正面図である。
【符号の説明】
１０，３０，４０，５０，７０，１００  ゴルフ用テイ
１２，１０２  脚部
１４  凹部
１６  衝撃吸収部
１８  リブ
２０  指掛部
２２，１０４  球受け部
２４，２６，７６，１０６  貫通孔
１０８  連結部
１１０  突出部
１１２  凹部
１１４  貫通孔
【図１】
0004331299.tif 000002
【図２】
0004331299.tif 000003
【図３】
0004331299.tif 000004
【図４】
0004331299.tif 000005
【図５】
0004331299.tif 000006
【図６】
0004331299.tif 000007
【図７】
0004331299.tif 000008
【図８】
0004331299.tif 000009
【図９】
0004331299.tif 000010
【図１０】
0004331299.tif 000011
【図１１】
0004331299.tif 000012
【図１２】
0004331299.tif 000013
【図１３】
0004331299.tif 000014
【図１４】
0004331299.tif 000015
【図１５】
0004331299.tif 000016
【図１６】
0004331299.tif 000017
【図１７】
0004331299.tif 000018